(57)【要約】【課題】配電系統へ独立に連系させて運転させることが可能であり、需要家毎に最適な動作モードで運転させることが可能な蓄電池システム及びその制御方法を提供する。【解決手段】蓄電池システムは、配電系統から供給される電力および太陽光発電装置の発電電力を充電し、負荷に電力を供給する電池と、太陽光発電装置の発電電力を負荷に対して供給可能とし、かつ、太陽光発電装置の発電電力のうち余剰電力を売電するモードまたは太陽光発電装置の発電電力のうち余剰電力を電池に充電するモードで動作させることが可能な制御部とを有する。【選択図】図１
2015159726.tif 000002
【特許請求の範囲】
【請求項１】
配電系統から供給される電力および太陽光発電装置の発電電力を充電し、負荷に電力を供給する電池と、
前記太陽光発電装置の発電電力を前記負荷に対して供給可能とし、かつ、前記太陽光発電装置の発電電力のうち余剰電力を売電するモードまたは前記太陽光発電装置の発電電力のうち余剰電力を前記電池に充電するモードで動作させることが可能な制御部と、
を有する蓄電池システム。
【請求項２】
前記制御部は、前記太陽光発電装置の発電電力を前記電池に蓄積された電力よりも優先して前記負荷に供給する動作をさせることが可能である請求項１記載の蓄電池システム。
【請求項３】
前記制御部は、前記太陽光発電装置の発電電力を前記電池に蓄積された電力よりも優先して前記負荷に供給する動作において、
前記太陽光発電装置の発電電力のうち余剰電力を売電するモードまたは前記太陽光発電装置の発電電力のうち余剰電力を前記電池に充電するモードで動作させることが可能である請求項２記載の蓄電池システム。
【請求項４】
前記制御部は、前記電池に蓄積された電力を前記太陽光発電装置の発電電力よりも優先して前記負荷に供給する動作をさせることが可能である請求項１記載の蓄電池システム。
【請求項５】
前記制御部は、前記電池に蓄積された電力を前記太陽光発電装置の発電電力よりも優先して前記負荷に供給する動作において、
前記太陽光発電装置の発電電力のうち余剰電力を売電するモードまたは前記太陽光発電装置の発電電力のうち余剰電力を前記電池に充電するモードで動作させることが可能である請求項４記載の蓄電池システム。
【請求項６】
前記制御部は、前記太陽光発電装置の発電電力を前記電池に蓄積された電力よりも優先して前記負荷に供給する動作、または前記電池に蓄積された電力を前記太陽光発電装置の発電電力よりも優先して前記負荷に供給する動作において、
前記太陽光発電装置の発電電力のうち余剰電力を売電するモードまたは前記太陽光発電装置の発電電力のうち余剰電力を前記電池に充電するモードで動作させることが可能である請求項１記載の蓄電池システム。
【請求項７】
前記制御部は、前記太陽光発電装置で発生した余剰電力を売電するモードにおいて、前記太陽光発電装置の発電電力のうち前記負荷で使用されない電力を前記配電系統へ逆潮流させる請求項１記載の蓄電池システム。
【請求項８】
前記余剰電力は、前記太陽光発電装置の発電電力から前記負荷の総消費電力を差し引いた電力である請求項１記載の蓄電池システム。
【請求項９】
前記制御部は、前記太陽光発電装置の発電電力を前記電池に蓄積された電力よりも優先して前記負荷に供給する動作において、前記太陽光発電装置が前記配電系統と連系する連系点よりも前記配電系統側で前記負荷に供給される電力が０よりも大きい場合、前記電池から前記負荷へ電力を供給する請求項３記載の蓄電池システム。
【請求項１０】
前記制御部は、前記太陽光発電装置の発電電力を前記電池に蓄積された電力よりも優先して前記負荷に供給する動作では、前記太陽光発電装置が前記配電系統と連系する連系点よりも前記配電系統側で前記負荷に供給される電力が０よりも大きい場合、前記電池から前記負荷へ電力を供給し、
前記電池に蓄積された電力を前記太陽光発電装置の発電電力よりも優先して前記負荷に供給する動作では、前記太陽光発電装置が前記配電系統と連系する連系点よりも前記負荷側で前記負荷に供給される電力が０よりも大きい場合、前記太陽光発電装置から前記負荷へ電力を供給する請求項６記載の蓄電池システム。
【請求項１１】
前記制御部は、前記太陽光発電装置の発電電力を前記電池に蓄積された電力よりも優先して前記負荷に供給する動作では、前記負荷に供給される電力として、前記太陽光発電装置が前記配電系統と連系する連系点よりも前記配電系統側の電力の測定結果を用い、
前記電池に蓄積された電力を前記太陽光発電装置の発電電力よりも優先して前記負荷に供給する動作では、前記負荷に供給される電力として、前記太陽光発電装置が前記配電系統と連系する連系点よりも前記負荷側の電力の測定結果を用いる請求項６記載の蓄電池システム。
【請求項１２】
配電系統からの電力および分散型電源からの電力が供給され、負荷に電力を供給する電池と、
前記分散型電源からの電力を前記負荷に対して供給可能とし、かつ、前記分散型電源からの電力を前記配電系統に供給する動作または前記分散型電源からの電力を前記電池に供給する動作を行うことが可能である制御部と、
を有する蓄電池システム。
【請求項１３】
前記制御部は、前記分散型電源からの電力を前記配電系統に供給する動作または前記分散型電源からの電力を前記電池に供給する動作のいずれかを選択する請求項１２記載の蓄電システム。
【請求項１４】
配電系統から供給される電力および太陽光発電装置の発電電力を充電し、負荷に電力を供給する電池を有する蓄電池システムに対して、
前記太陽光発電装置の発電電力を前記負荷へ供給可能とし、かつ、前記太陽光発電装置の発電電力のうち余剰電力を売電する動作または前記太陽光発電装置の発電電力のうち余剰電力を前記電池に充電する動作をさせることが可能である蓄電池制御装置。
【請求項１５】
前記電池に充電された電力よりも前記太陽光発電装置の発電電力を優先して前記負荷に供給する動作をさせることが可能である請求項１４記載の蓄電池制御装置。
【請求項１６】
前記太陽光発電装置の発電電力よりも前記電池に充電された電力を優先して前記負荷に供給する動作をさせることが可能である請求項１４記載の蓄電池制御装置。
【請求項１７】
前記電池に充電された電力よりも前記太陽光発電装置の発電電力を優先して前記負荷に供給する動作において、
前記太陽光発電装置の発電電力のうち余剰電力を売電する動作または前記太陽光発電装置の発電電力のうち余剰電力を前記電池に充電する動作をさせることが可能である請求項１５記載の蓄電池制御装置。
【請求項１８】
前記太陽光発電装置の発電電力よりも前記電池に充電された電力を優先して前記負荷に供給する動作において、
前記太陽光発電装置で発生した余剰電力を売電する動作、または、前記太陽光発電装置で発生した余剰電力を前記電池に充電する動作をさせることが可能である請求項１６記載の蓄電池制御装置。
【請求項１９】
配電系統から供給される電力および太陽光発電装置の発電電力を充電し、負荷に電力を供給する電池を有する蓄電池システムに対して、
前記電池に充電された電力よりも前記太陽光発電装置の発電電力を優先して前記負荷に供給する動作、または、
前記太陽光発電装置の発電電力よりも前記電池に充電された電力を優先して前記負荷に供給する動作をさせることが可能である蓄電池制御装置。
【請求項２０】
前記太陽光発電装置で発生した余剰電力を売電する動作、または、前記太陽光発電装置で発生した余剰電力を前記電池に充電する動作をさせる請求項１９記載の蓄電池制御装置。
【請求項２１】
配電系統から供給される電力および太陽光発電装置の発電電力を電池に充電し、前記電池から負荷に電力を供給し、
前記太陽光発電装置の発電電力を前記負荷に対して供給可能とし、かつ、
前記太陽光発電装置の発電電力のうち余剰電力を売電するモードまたは前記太陽光発電装置の発電電力のうち余剰電力を前記電池に充電するモードで動作させることを可能とする蓄電池システムの制御方法。
【請求項２２】
前記太陽光発電装置の発電電力を前記電池に蓄積された電力よりも優先して前記負荷に供給する動作をさせることを可能とする請求項２１記載の蓄電池システムの制御方法。
【請求項２３】
前記太陽光発電装置の発電電力を前記電池に蓄積された電力よりも優先して前記負荷に供給する動作において、
前記太陽光発電装置の発電電力のうち余剰電力を売電するモードまたは前記太陽光発電装置の発電電力のうち余剰電力を前記電池に充電するモードで動作させることを可能とする請求項２２に記載の蓄電池システムの制御方法。
【請求項２４】
前記電池に蓄積された電力を前記太陽光発電装置の発電電力よりも優先して前記負荷に供給する動作をさせることを可能とする請求項２１記載の蓄電池システムの制御方法。
【請求項２５】
前記電池に蓄積された電力を前記太陽光発電装置の発電電力よりも優先して前記負荷に供給する動作において、
前記太陽光発電装置の発電電力のうち余剰電力を売電するモードまたは前記太陽光発電装置の発電電力のうち余剰電力を前記電池に充電するモードで動作させることを可能とする請求項２４記載の蓄電池システムの制御方法。
【請求項２６】
前記太陽光発電装置の発電電力を前記電池に蓄積された電力よりも優先して前記負荷に供給する動作、または前記電池に蓄積された電力を前記太陽光発電装置の発電電力よりも優先して前記負荷に供給する動作において、
前記太陽光発電装置の発電電力のうち余剰電力を売電するモードまたは前記太陽光発電装置の発電電力のうち余剰電力を前記電池に充電するモードで動作させることを可能とする請求項２１記載の蓄電池システムの制御方法。
【請求項２７】
前記太陽光発電装置で発生した余剰電力を売電するモードにおいて、前記太陽光発電装置の発電電力のうち前記負荷で使用されない電力を前記配電系統へ逆潮流させる請求項２１記載の蓄電池システムの制御方法。
【請求項２８】
前記余剰電力は、前記太陽光発電装置の発電電力から前記負荷の総消費電力を差し引いた電力である請求項２１記載の蓄電池システムの制御方法。
【請求項２９】
前記太陽光発電装置の発電電力を前記電池に蓄積された電力よりも優先して前記負荷に供給する動作において、前記太陽光発電装置が前記配電系統と連系する連系点よりも前記配電系統側で前記負荷に供給される電力が０よりも大きい場合、前記電池から前記負荷へ電力を供給する請求項２３記載の蓄電池システムの制御方法。
【請求項３０】
前記太陽光発電装置の発電電力を前記電池に蓄積された電力よりも優先して前記負荷に供給する動作では、前記太陽光発電装置が前記配電系統と連系する連系点よりも前記配電系統側で前記負荷に供給される電力が０よりも大きい場合、前記電池から前記負荷へ電力を供給し、
前記電池に蓄積された電力を前記太陽光発電装置の発電電力よりも優先して前記負荷に供給する動作では、前記太陽光発電装置が前記配電系統と連系する連系点よりも前記負荷側で前記負荷に供給される電力が０よりも大きい場合、前記太陽光発電装置から前記負荷へ電力を供給する請求項２６記載の蓄電池システムの制御方法。
【請求項３１】
前記太陽光発電装置の発電電力を前記電池に蓄積された電力よりも優先して前記負荷に供給する動作では、前記負荷に供給する電力として、前記太陽光発電装置が前記配電系統と連系する連系点よりも前記配電系統側の電力の測定結果を用い、
前記電池に蓄積された電力を前記太陽光発電装置の発電電力よりも優先して前記負荷に供給する動作では、前記負荷に供給する電力として、前記太陽光発電装置が前記配電系統と連系する連系点よりも前記負荷側の電力の測定結果を用いる請求項２６記載の蓄電池システムの制御方法。
【請求項３２】
配電系統からの電力および分散型電源からの電力が電池に供給され、前記電池から負荷に電力を供給される蓄電池システムの制御方法であって、
前記分散型電源からの電力を前記負荷に対して供給可能とし、かつ、
前記発電電力を前記配電系統に供給する動作または前記発電電力を前記電池に供給する動作を行うことを可能とする蓄電池システムの制御方法。
【発明の詳細な説明】
【技術分野】
【０００１】
本発明は配電系統（商用電力）に連系して運転可能な蓄電池システム、蓄電池制御装置及び蓄電池システムの制御方法に関する。
【背景技術】
【０００２】
低炭素社会の実現のために太陽光発電（Photo Voltaic generation）や風力発電（Wind Farm）等の再生可能電源の導入が不可欠になり、さらに再生可能電源や炭素排出量が比較的少ない安定した硬直電源（例えば原子力発電所）で発電された電力を効率よく利用するために蓄電池システムの導入が進められている。
【０００３】
特に再生可能電源は、気象条件に依存して出力電力が変動する、発電量が不安定な機器であるため、需要家に比較的安定して所定の電力を供給するためにも蓄電池システムと併用することが好ましい。
【０００４】
なお、再生可能電源や燃料電池等の分散型電源と蓄電池とを備えた一般家庭用の発電システムについては、例えば特許文献１にも記載されている。
【０００５】
上述した再生可能電源や蓄電池システムの普及を促進するには、電力使用時における経済的効果が高いことが望まれる。例えば再生可能電源で発電された電力や蓄電池システムに蓄積された電力を需要家が備える負荷（電気機器）へ優先的に供給することで、配電系統の電力料金を抑制できることが好ましい。また、再生可能電源で発電した電力のうち、需要家の負荷で使用されない余剰電力については、電力会社へ売電できることが好ましい。但し、需要家によっては、経済的効果を重視するのではなく、自然エネルギーから発電した電力（グリーン電力）を優先して使用することを重視する場合もある。そのため、再生可能電源や蓄電池システムは、需要家毎に最適な動作モードで運転できることが望ましい。
【０００６】
一方、再生可能電源や蓄電池システムは未だ高価であり、これらを同時に設置できるとは限らない。そのため、配電系統へ独立に連系させて運転できる構成であることが望ましい。
【先行技術文献】
【特許文献】
【０００７】
【特許文献１】特開２０１１−００３４４９号公報
【発明の概要】
【０００８】
そこで本発明は、配電系統へ独立に連系させて運転させることが可能であり、需要家毎に最適な動作モードで運転させることが可能な蓄電池システム及びその制御方法を提供することを目的とする。
【０００９】
上記目的を達成するため本発明の蓄電池システムは、配電系統から供給される電力および太陽光発電装置の発電電力を充電し、負荷に電力を供給する電池と、
前記太陽光発電装置の発電電力を前記負荷に対して供給可能とし、かつ、前記太陽光発電装置の発電電力のうち余剰電力を売電するモードまたは前記太陽光発電装置の発電電力のうち余剰電力を前記電池に充電するモードで動作させることが可能な制御部と、
を有する構成である。
【００１０】
または、配電系統からの電力および分散型電源からの電力が供給され、負荷に電力を供給する電池と、
前記分散型電源からの電力を前記負荷に対して供給可能とし、かつ、前記分散型電源からの電力を前記配電系統に供給する動作または前記分散型電源からの電力を前記電池に供給する動作を行うことが可能である制御部と、
を有する構成である。
【００１１】
本発明の蓄電池制御装置は、配電系統から供給される電力および太陽光発電装置の発電電力を充電し、負荷に電力を供給する電池を有する蓄電池システムに対して、
前記太陽光発電装置の発電電力を前記負荷へ供給可能とし、かつ、前記太陽光発電装置の発電電力のうち余剰電力を売電する動作または前記太陽光発電装置の発電電力のうち余剰電力を前記電池に充電する動作をさせることが可能な構成である。
【００１２】
または、配電系統から供給される電力および太陽光発電装置の発電電力を充電し、負荷に電力を供給する電池を有する蓄電池システムに対して、
前記電池に充電された電力よりも前記太陽光発電装置の発電電力を優先して前記負荷に供給する動作、または、
前記太陽光発電装置の発電電力よりも前記電池に充電された電力を優先して前記負荷に供給する動作をさせることが可能な構成である。
【００１３】
一方、本発明の蓄電池システムの制御方法は、配電系統から供給される電力および太陽光発電装置の発電電力を電池に充電し、前記電池から負荷に電力を供給し、
前記太陽光発電装置の発電電力を前記負荷に対して供給可能とし、かつ、
前記太陽光発電装置の発電電力のうち余剰電力を売電するモードまたは前記太陽光発電装置の発電電力のうち余剰電力を前記電池に充電するモードで動作させることを可能とする方法である。
【００１４】
または、配電系統からの電力および分散型電源からの電力が電池に供給され、前記電池から負荷に電力を供給される蓄電池システムの制御方法であって、
前記分散型電源からの電力を前記負荷に対して供給可能とし、かつ、
前記発電電力を前記配電系統に供給する動作または前記発電電力を前記電池に供給する動作を行うことを可能とする方法である。
【図面の簡単な説明】
【００１５】
【図１】図１は、本発明の蓄電池システムの一構成例を示すブロック図である。
【図２】図２は、図１に示した蓄電池システムの要部の構成を示すブロック図である。
【図３】図３は、図２に示した蓄電池システムのＰＶ優先モード時における処理の一例を示すフローチャートである。
【図４】図４は、図２に示した蓄電池システムの蓄電優先モード時における処理の一例を示すフローチャートである。
【発明を実施するための形態】
【００１６】
次に本発明について図面を用いて説明する。
【００１７】
図１は、本発明の蓄電池システムの一構成例を示すブロック図である。
【００１８】
図１に示すように、蓄電池システムは、電力を蓄積または放出する電池パック１０と、電池パック１０を過充電、過放電、過電流等から保護するＢＭＵ（Battery Management Unit）２０と、電池パック１０と配電系統とを連系可能にするための電力変換を行うと共に、電池パック１０に対する充電または電池パックからの放電を制御するパワーコンディショナ（ＰＣＳ）３０と、ＢＭＵ２０及びパワーコンディショナ３０を含む蓄電池システム全体の動作を制御するシステムコントローラ４０とを有する。図１は２つの電池パック１０が並列に接続された構成例を示しているが、電池パック１０は１つでもよく、３つ以上であってもよい。
【００１９】
配電系統には、例えば太陽光から発電するＰＶ（Photo Voltaic）パネル５１と、ＰＶパネル５１で発電された直流電力を配電系統に連系可能な交流電力に変換するＰＶ用パワーコンディショナ（ＰＶ  ＰＣＳ）５２とを備えたＰＶシステム５０が連系されて蓄電池システムと併用される。ＰＶシステム５０は、蓄電池システムから独立した分散型電源（小規模発電設備）であり、蓄電池システム及びＰＶシステム５０は、需要家の宅内に備える分電盤６０で配電系統と連系される。
【００２０】
パワーコンディショナ３０は、配電系統から供給される交流電力を電池パック１０に蓄電可能な直流電力に変換すると共に、電池パック１０から放電された直流電力を負荷や配電系統へ供給可能な交流電力に変換するＤＣ／ＡＣ双方向インバータ３１と、システムコントローラ４０からの指示にしたがってＤＣ／ＡＣ双方向インバータ３１を含むパワーコンディショナ３０の動作を制御すると共に、ＢＭＵ２０の動作を監視する制御部３２とを備えている。図１に示すパワーコンディショナ３０は、需要家の負荷へ電力を供給するための電力線３３を介して配電系統と連系される。
【００２１】
電池パック１０は、例えば電力の蓄積及び放出が可能な、リチウムイオン充電池、ニカド（Ｎｉ−Ｃｄ）電池、ニッケル水素（Ｎｉ−ＭＨ）電池等の蓄電池（二次電池）を備えている。電池パック１０は、所要の出力電圧に応じて、１つまたは複数の蓄電池が直列に接続されることで構成される。蓄電池システムは、所要の蓄電量に応じて、１つまたは複数の電池パック１０が並列に接続される。なお、本発明の蓄電システムは、電池パック１０に代えて、例えば金属缶型の電池（二次電池）を備えていてもよい。本発明の蓄電システムは、金属缶型等の電池（二次電池）を備える構成にも適用可能であることは言うまでもない。
【００２２】
ＢＭＵ２０は、電池パック１０の蓄電池に対応した周知の保護ＩＣ（Integrated Circuit）及び各種の電子デバイスを含む電子回路で実現される。
【００２３】
ＤＣ／ＡＣ双方向インバータ３１は、周知のＤＣ／ＡＣインバータ回路、ＡＣ／ＤＣコンバータ回路、ＤＣ／ＤＣコンバータ、電路を切り換えるためのリレー（スイッチ）等で実現される。
【００２４】
制御部３２は、システムコントローラ４０と情報を送受信するための周知の通信回路、後述する電流センサ７０で検出された電流値を受信して電力値に変換する周知の電流電力変換回路、並びにシステムコントローラ４０からの指示にしたがってＢＭＵ２０、ＤＣ／ＡＣ双方向インバータ３１等の動作を切り換えるための制御信号を出力する周知の論理回路等を組み合わせた電子回路で実現できる。なお、図１では、制御部３２がパワーコンディショナ３０内に設けられた構成例を示しているが、制御部３２は、パワーコンディショナ３０から独立した装置でもよく、システムコントローラ４０内に備える構成でもよい。
【００２５】
システムコントローラ４０は、ＣＰＵ、記憶装置、各種論理回路、並びに制御部３２、ＢＭＵ２０、ＤＣ／ＡＣ双方向インバータ３１と情報を送受信するための通信手段を備えた情報処理装置（コンピュータ）で実現できる。システムコントローラ４０は、記憶装置に格納されたプログラムにしたがって処理を実行することで、後述する蓄電池システムとしての動作を実現する。
【００２６】
分電盤６０は、配電系統から供給される電力を需要家の負荷へ分配するための複数の分岐電路（不図示）が設けられ、配電系統及び分岐電路毎にそれぞれ開閉器を備えている。
【００２７】
本実施形態の蓄電池システムでは、配電系統から負荷へ電力を供給するための電路、並びにＰＶシステム５０の出力電路にそれぞれ電流センサ７０が設けられ、電流センサ７０で検出された電流値に基づき、配電系統から需要家の負荷へ供給される電力、並びにＰＶシステム５０の出力電力がそれぞれ測定される。配電系統から需要家の負荷へ供給される電力はパワーコンディショナ３０の制御部３２で測定され、ＰＶシステム５０の出力電力はシステムコントローラ４０で測定される。但し、配電系統から需要家の負荷へ供給される電力については、ＰＶシステム５０の連系点から見て配電系統側（図１のノードａ）と需要家の負荷側（図１のノードｂ）との２点で測定される。そのため、パワーコンディショナ３０は、ノードａの電流センサ７０またはノードｂの電流センサ７０と、制御部３２との接続を切り換えるためのスイッチ３６を備えている。スイッチ３６はシステムコントローラ４０によって切り換えられる。
【００２８】
なお、図１では、蓄電池システムをＰＶシステム５０と併用する構成例を示しているが、本発明の蓄電池システムは、ＰＶシステム５０に限らず、風力発電システム、燃料電池、あるいは化石エネルギーを利用する各種の自家発電機等の分散型電源と併用する場合でも同様の制御が可能である。
【００２９】
このような構成において、ＰＶシステム５０は、需要家の負荷の総消費電力に関係なく、基本的に気象条件に依存して発電し、発電した電力を出力する。したがって、負荷の総消費電力が少なくなれば、負荷で使用されない余剰電力が発生する。発生した余剰電力は、配電系統に逆潮流される、またはシステムコントローラ４０の制御によりＤＣ／ＡＣ双方向インバータ３１を介して電池パック１０に充電される。
【００３０】
電池パック１０は、制御部３２の制御信号にしたがって蓄積した電力を放電し、ＤＣ／ＡＣ双方向インバータ３１を介して需要家の負荷に電力を供給する。現在、日本では電池パック１０からの放電電力を配電系統へ逆潮流させることが認められていないため、負荷の総消費電力が少ないときは電池パック１０からの放電量が抑制される。
【００３１】
電池パック１０に対する充電は、上記ＰＶシステム５０による余剰電力、または配電系統から供給される電力を利用して実施される。電池パック１０に対する充放電はユーザの操作により任意の時間に実施可能にしてもよい。なお、配電系統から電池パック１０に充電する場合は、比較的電力料金が安い夜間電力を利用すればよい。
【００３２】
本実施形態の蓄電池システムは、需要家の負荷へ電力を供給する運転モードとして、ＰＶシステム５０で発電された電力を優先するＰＶ優先モード（第１モード）と、電池パック１０に蓄積された電力を優先する蓄電優先モード（第２モード）とを備える。
【００３３】
ＰＶ優先モードでは、配電系統から負荷へ供給する電力ＰGRIDとして、図１に示したノードａの測定値を用い、蓄電優先モードでは、配電系統から負荷へ供給する電力ＰGRIDとして、図１に示したノードｂの測定値を用いる。
【００３４】
ここで、需要家の負荷の総消費電力（負荷電力）をＰLOADとし、電池パック１０からパワーコンディショナ３０を介して配電系統へ供給する電力をＰINVとし、ＰＶシステム５０から配電系統へ供給する電力をＰPVとした場合、ＰＶ優先モードでは、ＰLOAD＝ＰGRID＋ＰPV＋ＰINVとなる。また、蓄電優先モードでは、ＰLOAD＝ＰGRID＋ＰINVとなる。つまり、ＰＶ優先モードでは、ＰGRID＝ＰLOAD−（ＰPV＋ＰINV）を測定し、蓄電優先モードでは、ＰGRID＝ＰLOAD−ＰINVを測定する。
【００３５】
ＰＶ優先モード時、システムコントローラ４０は、ＰＶシステム５０から出力される電力を負荷に優先的に供給させ、ＰＶシステム５０の発電量だけでは負荷へ供給する電力が不足する場合（ＰLOAD−ＰPV＞０）、パワーコンディショナ３０を介して電池パック１０に蓄積された電力を放電させ、負荷へ供給させる。ＰＶシステム５０の発電量が負荷に対する供給電力以上である場合（ＰLOAD−ＰPV＜０）、負荷で使用されない余剰電力は配電系統へ逆潮流される、または電池パック１０の充電に利用される。
【００３６】
蓄電優先モード時、システムコントローラ４０は、電池パック１０に蓄積された電力を負荷に優先的に供給させ、電池パック１０の放電電力だけでは負荷へ供給する電力が不足する場合（ＰLOAD−ＰINV＞０）、ＰＶシステム５０で発電された電力を負荷へ供給させる。電池パック１０の放電電力が負荷に対する供給電力以上である場合、またはＰＶシステム５０で発電された電力の全てを負荷へ供給する必要が無い場合、負荷で使用されない余剰電力は配電系統へ逆潮流される、または電池パック１０の充電に利用される。
【００３７】
さらに、本実施形態の蓄電池システムでは、蓄電優先モード及びＰＶ優先モード毎に、経済性を優先する経済モード（第３モード）と、蓄電池への充電を優先するグリーンモード（第４モード）とを設ける。
【００３８】
経済モード時、システムコントローラ４０は、ＰＶシステム５０で発生した余剰電力を電力会社に対する売電に優先的に利用し、グリーンモード時、システムコントローラ４０は、ＰＶシステム５０で発生した余剰電力を電池パック１０の充電に優先的に利用する。ＰＶ優先モード、蓄電優先モード、経済モード、グリーンモードは、不図示の操作パネルに備えるスイッチ等を用いて予めユーザ（需要家）によって設定され、システムコントローラ４０が備える記憶装置に格納される。
【００３９】
次に、図１に示した蓄電池システムの動作について図面を用いて説明する。
【００４０】
図２は、図１に示した蓄電池システムの要部の構成を示すブロック図である。
【００４１】
図３は、図２に示した蓄電池システムのＰＶ優先モード時における処理の一例を示すフローチャートであり、図４は、図２に示した蓄電池システムの蓄電優先モード時における処理の一例を示すフローチャートである。
【００４２】
図２は、図１に示した蓄電池システム及びＰＶシステム５０のうち、ＰＶ優先モード及び蓄電優先モードによる動作に関連する要部を抜き出して示したものである。また、図２に示すＰGRID、ＰLOAD、ＰINV、ＰPVの矢印は、電流が正方向に流れる向きを示している。
【００４３】
なお、図１及び図２では、ノードａ及びノードｂにそれぞれ電流センサ７０を備える構成例を示しているが、上述したようにノードａとノードｂとでは測定結果にＰPVが含まれているか否かの差でしかない。一方、ＰＶシステム５０の出力電路には電流センサ７０が設けられており、ＰPVの値はシステムコントローラ４０によって別途測定される。したがって、ノードａまたはノードｂのいずれか一方にのみ電流センサ７０を備える構成でも、本実施形態の蓄電池システムは制御可能である。
【００４４】
図３及び図４に示す処理はシステムコントローラ４０で実行される。配電系統から負荷へ供給する電力ＰGRIDは、パワーコンディショナが備える制御部３２で測定され、制御部３２からシステムコントローラ４０へ送信される。
【００４５】
図３に示すように、蓄電池システムが放電を開始すると、システムコントローラ４０は、蓄電池システムがＰＶ優先モードであるか蓄電優先モードであるかを確認する（ステップＳ１）。蓄電優先モードである場合は図４に示す処理へ移行する。
【００４６】
蓄電池システムがＰＶ優先モードである場合、システムコントローラ４０は、蓄電池システムがグリーンモードであるか経済モードであるかを判定する（ステップＳ１１）。
【００４７】
蓄電池システムがグリーンモードである場合、システムコントローラ４０は負荷による総消費電力（負荷電力ＰLOAD）がＰＶシステム５０の発電量（ＰＶ電力ＰPV）よりも大きいか否か、すなわち配電系統から負荷へ供給する電力ＰGRIDが０よりも大きいか否かを判定する（ステップＳ１２）。
【００４８】
ＰGRIDが０よりも大きい場合、システムコントローラ４０は、パワーコンディショナ３０を制御することで負荷電力ＰLOADに合わせて電池パック１０から電力を放電させ、不足電力（ＰLOAD−ＰPV）を負荷に供給させる（ステップＳ１３）。
【００４９】
ＰGRIDが０以下である場合、システムコントローラ４０は、ＰＶシステム５０で発電された電力のうち、負荷で使用されない余剰電力（ＰPV−ＰLOAD＝−ＰGRID）を電池パック１０に蓄電させる（ステップＳ１４）。但し、電池パック１０が既に満充電である場合は、余剰電力を配電系統へ逆潮流させて電力会社等へ売電する。
【００５０】
蓄電池システムが経済モードである場合、システムコントローラ４０は、負荷による総消費電力（負荷電力ＰLOAD）がＰＶシステム５０の発電量（ＰＶ電力ＰPV）よりも大きいか否か、すなわち配電系統から負荷へ供給する電力ＰGRIDが０よりも大きいか否かを判定する（ステップＳ１５）。
【００５１】
ＰGRIDが０よりも大きい場合、システムコントローラ４０は、パワーコンディショナ３０を制御することで負荷電力ＰLOADに合わせて電池パック１０から電力を放電させ、不足電力（ＰLOAD−ＰPV）を負荷に供給させる（ステップＳ１６）。
【００５２】
ＰGRIDが０以下である場合、システムコントローラ４０は、電池パック１０からの放電を停止させる（ステップＳ１７）。この場合、ＰＶシステム５０で発電された電力のうち、負荷で使用されない余剰電力（ＰPV−ＰLOAD＝−ＰGRID）は、配電系統へ逆潮流されて電力会社等へ売電される。
【００５３】
図４に示すように、蓄電池システムが蓄電優先モードである場合、システムコントローラ４０は、蓄電池システムがグリーンモードであるか経済モードであるかを判定する（ステップＳ２１）。
【００５４】
蓄電池システムがグリーンモードである場合、システムコントローラ４０は負荷による総消費電力（負荷電力ＰLOAD）がＰＶシステム５０の発電量（ＰＶ電力ＰPV）よりも大きいか否か、すなわち配電系統から負荷へ供給する電力ＰGRIDがＰPVよりも大きいか否かを判定する（ステップＳ２２）。
【００５５】
ＰGRIDがＰPVよりも大きい場合、システムコントローラ４０は、パワーコンディショナ３０を制御することで負荷電力ＰLOADに合わせて電池パック１０から電力を放電させ、不足電力（ＰLOAD−ＰPV）を負荷に供給させる。
【００５６】
ＰGRIDがＰPV以下である場合、システムコントローラ４０は、ＰＶシステム５０で発電された電力のうち、負荷で使用されない余剰電力（ＰPV−ＰLOAD＝ＰPV−ＰGRID）を電池パック１０に蓄電させる（ステップＳ２４）。但し、電池パック１０が既に満充電である場合は、余剰電力を配電系統へ逆潮流させて電力会社等へ売電する。
【００５７】
蓄電池システムが経済モードである場合、システムコントローラ４０は、負荷による総消費電力（負荷電力ＰLOAD）がＰＶシステム５０の発電量（ＰＶ電力ＰPV）よりも大きいか否か、すなわち配電系統から負荷へ供給する電力ＰGRIDがＰPVよりも大きいか否かを判定する（ステップＳ２５）。
【００５８】
ＰGRIDがＰPVよりも大きい場合、システムコントローラ４０は、パワーコンディショナ３０を制御することで負荷電力ＰLOADに合わせて電池パック１０から電力を放電させ、不足電力（ＰLOAD−ＰPV）を負荷に供給させる（ステップＳ２６）。
【００５９】
ＰGRIDがＰPV以下である場合、システムコントローラ４０は、電池パック１０からの放電を停止させる（ステップＳ２７）。この場合、ＰＶシステム５０で発電された電力のうち、負荷で使用されない余剰電力（ＰPV−ＰLOAD＝ＰPV−ＰGRID）は、配電系統へ逆潮流されて電力会社等へ売電される。
【００６０】
本実施形態によれば、電池パック１０及び該電池パック１０に対する充放電を制御するパワーコンディショナ３０を、ＰＶシステム５０等の分散型電源から独立して配電系統に連系できるため、分散型電源が既に設置されている場合でも、蓄電池システムを配電系統に連系させて運転させることができる。
【００６１】
また、本実施形態の蓄電池システムでは、例えば比較的安価な夜間電力を利用して電池パックを充電し、昼間に蓄電優先モードまたはＰＶ優先モードで運転すれば、昼間に配電系統から供給される電力が抑制されるため、電力料金を削減できる。このとき、蓄電優先モードで運転すれば、ＰＶシステム等で発生する余剰電力が比較的多くなるため、売電量が増大する。また、ＰＶ優先モードで運転すれば、ＰＶシステムで発電された電力で需要家の負荷に必要な電力の多くが賄える。そのため、経済的効果が高い蓄電池システムが得られる。
【００６２】
蓄電優先モードまたはＰＶ優先モードのどちらで運転した方がより経済的効果が高いかは、需要家毎の使用電力量や電力使用パターン、並びに需要家が住む地域の気象条件（日照時間や風力等）等によって異なる。また、需要家によっては、経済的効果を重視するのではなく、自然エネルギーを利用して発電した電力（グリーン電力）を優先して使用することを重視する場合もある。
【００６３】
本実施形態の蓄電池システムは、上記蓄電優先モードまたはＰＶ優先モードに切り換え可能であると共に、さらに経済モードまたはグリーンモードに切り換え可能であるため、需要家は運転実績等に基づき自身にとって最適な運転モードを選択できる。
【００６４】
そのため、配電系統へ独立に連系させて運転させることが可能であり、需要家毎に最適な動作モードで運転させることが可能な蓄電池システムが得られる。
【００６５】
以上、実施形態を参照して本願発明を説明したが、本願発明は上記実施形態に限定されものではない。本願発明の構成や詳細は本願発明のスコープ内で当業者が理解し得る様々な変更が可能である。
【００６６】
この出願は、２０１１年７月１５日に出願された特願２０１１−１５６５６１号を基礎とする優先権を主張し、その開示の全てをここに取り込む。
【図１】
2015159726.tif 000003
【図２】
2015159726.tif 000004
【図３】
2015159726.tif 000005
【図４】
2015159726.tif 000006
【手続補正書】
【提出日】平成27年5月28日(2015.5.28)
【手続補正１】
【補正対象書類名】特許請求の範囲
【補正対象項目名】全文
【補正方法】変更
【補正の内容】
【特許請求の範囲】
【請求項１】
配電系統から供給される電力および太陽光発電装置の発電電力を充電し、負荷に電力を供給する電池と、
前記太陽光発電装置の発電電力を前記負荷に対して供給可能とし、かつ、前記太陽光発電装置の発電電力のうち余剰電力を売電するモードまたは前記太陽光発電装置の発電電力のうち余剰電力を前記電池に充電するモードで動作させることが可能な制御部と、を有し、
前記制御部は、前記太陽光発電装置の発電電力を前記電池に蓄積された電力よりも優先して前記負荷に供給する動作をさせることが可能であり、
前記太陽光発電装置の発電電力を前記電池に蓄積された電力よりも優先して前記負荷に供給する動作において、前記太陽光発電装置の発電電力だけでは前記負荷に供給する電力が不足する場合に、前記電池に蓄積された電力を前記負荷に供給し、前記太陽光発電装置の発電電力と前記電池に蓄積された電力だけでは前記負荷に供給する電力が不足する場合に、前記配電系統から前記負荷に電力を供給する蓄電池システム。
【請求項２】
前記制御部は、前記電池に蓄積された電力を前記太陽光発電装置の発電電力よりも優先して前記負荷に供給する動作をさせることが可能であり、
前記電池に蓄積された電力を前記太陽光発電装置の発電電力よりも優先して前記負荷に供給する動作において、前記太陽光発電装置の発電電力のうち余剰電力を売電するモードで動作させることが可能である請求項１記載の蓄電池システム。
【請求項３】
前記制御部は、前記太陽光発電装置の発電電力を前記電池に蓄積された電力よりも優先して前記負荷に供給する動作、または前記電池に蓄積された電力を前記太陽光発電装置の発電電力よりも優先して前記負荷に供給する動作をさせることが可能であり、
前記太陽光発電装置の発電電力を前記電池に蓄積された電力よりも優先して前記負荷に供給する動作において、前記太陽光発電装置の発電電力のうち余剰電力を売電するモードまたは前記太陽光発電装置の発電電力のうち余剰電力を前記電池に充電するモードで動作をさせることが可能であり、
前記電池に蓄積された電力を前記太陽光発電装置の発電電力よりも優先して前記負荷に供給する動作において、前記太陽光発電装置の発電電力のうち余剰電力を売電するモードで動作をさせることが可能である請求項１記載の蓄電池システム。
【請求項４】
前記制御部は、前記太陽光発電装置の発電電力を前記電池に蓄積された電力よりも優先して前記負荷に供給する動作では、前記太陽光発電装置が前記配電系統と連系する連系点よりも前記配電系統側で前記負荷に供給される電力が０よりも大きい場合、前記電池から前記負荷へ電力を供給し、
前記電池に蓄積された電力を前記太陽光発電装置の発電電力よりも優先して前記負荷に供給する動作では、前記太陽光発電装置が前記配電系統と連系する連系点よりも前記負荷側で前記負荷に供給される電力が０よりも大きい場合、前記太陽光発電装置から前記負荷へ電力を供給する請求項３記載の蓄電池システム。
【請求項５】
前記制御部は、前記太陽光発電装置の発電電力を前記電池に蓄積された電力よりも優先して前記負荷に供給する動作では、前記負荷に供給される電力として、前記太陽光発電装置が前記配電系統と連系する連系点よりも前記配電系統側の電力の測定結果を用い、
前記電池に蓄積された電力を前記太陽光発電装置の発電電力よりも優先して前記負荷に供給する動作では、前記負荷に供給される電力として、前記太陽光発電装置が前記配電系統と連系する連系点よりも前記負荷側の電力の測定結果を用いる請求項３記載の蓄電池システム。
【請求項６】
前記制御部は、前記太陽光発電装置で発生した余剰電力を売電するモードにおいて、前記太陽光発電装置の発電電力のうち前記負荷で使用されない電力を前記配電系統へ逆潮流させる請求項１乃至５のいずれか１項に記載の蓄電池システム。
【請求項７】
前記余剰電力は、前記太陽光発電装置の発電電力から前記負荷の総消費電力を差し引いた電力である請求項１乃至５のいずれか１項に記載の蓄電池システム。
【請求項８】
配電系統からの電力および分散型電源からの電力が供給され、負荷に電力を供給する電池と、
前記分散型電源からの電力を前記負荷に対して供給可能とし、かつ、前記分散型電源からの電力を前記配電系統に供給する動作または前記分散型電源からの電力を前記電池に供給する動作を行うことが可能である制御部と、を有し、
前記制御部は、前記分散型電源の電力を前記電池に蓄積された電力よりも優先して前記負荷に供給する動作をさせることが可能であり、前記分散型電源の電力を前記電池に蓄積された電力よりも優先して前記負荷に供給する動作において、前記分散型電源の電力だけでは前記負荷に供給する電力が不足する場合に、前記電池に蓄積された電力を前記負荷に供給し、前記分散型電源の電力と前記電池に蓄積された電力だけでは前記負荷に供給する電力が不足する場合に、前記配電系統から前記負荷に電力を供給する蓄電池システム。
【請求項９】
配電系統から供給される電力および太陽光発電装置の発電電力を充電し、負荷に電力を供給する電池を有する蓄電池システムに対して、
前記太陽光発電装置の発電電力を前記負荷へ供給可能とし、
前記太陽光発電装置の発電電力のうち余剰電力を売電する動作または前記太陽光発電装置の発電電力のうち余剰電力を前記電池に充電する動作をさせることが可能であり、
かつ前記太陽光発電装置の発電電力を前記電池に蓄積された電力よりも優先して前記負荷に供給する動作をさせることが可能であり、
前記太陽光発電装置の発電電力を前記電池に蓄積された電力よりも優先して前記負荷に供給する動作において、前記太陽光発電装置の発電電力だけでは前記負荷に供給する電力が不足する場合に、前記電池に蓄積された電力を前記負荷に供給し、前記太陽光発電装置の発電電力と前記電池に蓄積された電力だけでは前記負荷に供給する電力が不足する場合に、前記配電系統から前記負荷に電力を供給するよう制御する蓄電池制御装置。
【請求項１０】
配電系統からの電力および分散型電源からの電力が供給され、負荷に電力を供給する電池を有する蓄電池システムに対して、
前記分散型電源からの電力を前記負荷に対して供給可能とし、
前記分散型電源からの電力を前記配電系統に供給する動作または前記分散型電源からの電力を前記電池に供給する動作を行うことが可能であり、
かつ前記分散型電源の電力を前記電池に蓄積された電力よりも優先して前記負荷に供給する動作をさせることが可能であり、前記分散型電源の電力を前記電池に蓄積された電力よりも優先して前記負荷に供給する動作において、
前記分散型電源の電力だけでは前記負荷に供給する電力が不足する場合に、前記電池に蓄積された電力を前記負荷に供給し、前記分散型電源の電力と前記電池に蓄積された電力だけでは前記負荷に供給する電力が不足する場合に、前記配電系統から前記負荷に電力を供給するよう制御する蓄電池制御装置。
【請求項１１】
配電系統から供給される電力および太陽光発電装置の発電電力を電池に充電し、前記電池から負荷に電力を供給し、
前記太陽光発電装置の発電電力を前記負荷に対して供給可能とし、
前記太陽光発電装置の発電電力のうち余剰電力を売電するモードまたは前記太陽光発電装置の発電電力のうち余剰電力を前記電池に充電するモードで動作させることを可能とし、
前記太陽光発電装置の発電電力を前記電池に蓄積された電力よりも優先して前記負荷に供給する動作をさせることを可能とし、
前記太陽光発電装置の発電電力を前記電池に蓄積された電力よりも優先して前記負荷に供給する動作において、前記太陽光発電装置の発電電力だけでは前記負荷に供給する電力が不足する場合に、前記電池に蓄積された電力を前記負荷に供給し、前記太陽光発電装置の発電電力と前記電池に蓄積された電力だけでは前記負荷に供給する電力が不足する場合に、前記配電系統から前記負荷に電力を供給するよう制御する蓄電池システムの制御方法。
【請求項１２】
配電系統からの電力および分散型電源からの電力が電池に供給され、前記電池から負荷に電力を供給される蓄電池システムの制御方法であって、
前記分散型電源からの電力を前記負荷に対して供給可能とし、
前記分散型電源からの電力を前記配電系統に供給する動作または前記分散型電源からの電力を前記電池に供給する動作を行うことが可能であり、
かつ前記分散型電源の電力を前記電池に蓄積された電力よりも優先して前記負荷に供給する動作をさせることが可能であり、前記分散型電源の電力を前記電池に蓄積された電力よりも優先して前記負荷に供給する動作において、
前記分散型電源の電力だけでは前記負荷に供給する電力が不足する場合に、前記電池に蓄積された電力を前記負荷に供給し、前記分散型電源の電力と前記電池に蓄積された電力だけでは前記負荷に供給する電力が不足する場合に、前記配電系統から前記負荷に電力を供給するよう制御する蓄電池システムの制御方法。
【手続補正２】
【補正対象書類名】明細書
【補正対象項目名】０００９
【補正方法】変更
【補正の内容】
【０００９】
上記目的を達成するため本発明の蓄電池システムは、配電系統から供給される電力および太陽光発電装置の発電電力を充電し、負荷に電力を供給する電池と、
前記太陽光発電装置の発電電力を前記負荷に対して供給可能とし、かつ、前記太陽光発電装置の発電電力のうち余剰電力を売電するモードまたは前記太陽光発電装置の発電電力のうち余剰電力を前記電池に充電するモードで動作させることが可能な制御部と、を有し、
前記制御部は、前記太陽光発電装置の発電電力を前記電池に蓄積された電力よりも優先して前記負荷に供給する動作をさせることが可能であり、
前記太陽光発電装置の発電電力を前記電池に蓄積された電力よりも優先して前記負荷に供給する動作において、前記太陽光発電装置の発電電力だけでは前記負荷に供給する電力が不足する場合に、前記電池に蓄積された電力を前記負荷に供給し、前記太陽光発電装置の発電電力と前記電池に蓄積された電力だけでは前記負荷に供給する電力が不足する場合に、前記配電系統から前記負荷に電力を供給する構成である。
【手続補正３】
【補正対象書類名】明細書
【補正対象項目名】００１０
【補正方法】変更
【補正の内容】
【００１０】
または、配電系統からの電力および分散型電源からの電力が供給され、負荷に電力を供給する電池と、
前記分散型電源からの電力を前記負荷に対して供給可能とし、かつ、前記分散型電源からの電力を前記配電系統に供給する動作または前記分散型電源からの電力を前記電池に供給する動作を行うことが可能である制御部と、を有し、
前記制御部は、前記分散型電源の電力を前記電池に蓄積された電力よりも優先して前記負荷に供給する動作をさせることが可能であり、前記分散型電源の電力を前記電池に蓄積された電力よりも優先して前記負荷に供給する動作において、前記分散型電源の電力だけでは前記負荷に供給する電力が不足する場合に、前記電池に蓄積された電力を前記負荷に供給し、前記分散型電源の電力と前記電池に蓄積された電力だけでは前記負荷に供給する電力が不足する場合に、前記配電系統から前記負荷に電力を供給する構成である。
【手続補正４】
【補正対象書類名】明細書
【補正対象項目名】００１１
【補正方法】変更
【補正の内容】
【００１１】
本発明の蓄電池制御装置は、配電系統から供給される電力および太陽光発電装置の発電電力を充電し、負荷に電力を供給する電池を有する蓄電池システムに対して、
前記太陽光発電装置の発電電力を前記負荷へ供給可能とし、
前記太陽光発電装置の発電電力のうち余剰電力を売電する動作または前記太陽光発電装置の発電電力のうち余剰電力を前記電池に充電する動作をさせることが可能であり、
かつ前記太陽光発電装置の発電電力を前記電池に蓄積された電力よりも優先して前記負荷に供給する動作をさせることが可能であり、
前記太陽光発電装置の発電電力を前記電池に蓄積された電力よりも優先して前記負荷に供給する動作において、前記太陽光発電装置の発電電力だけでは前記負荷に供給する電力が不足する場合に、前記電池に蓄積された電力を前記負荷に供給し、前記太陽光発電装置の発電電力と前記電池に蓄積された電力だけでは前記負荷に供給する電力が不足する場合に、前記配電系統から前記負荷に電力を供給するよう制御する構成である。
【手続補正５】
【補正対象書類名】明細書
【補正対象項目名】００１２
【補正方法】変更
【補正の内容】
【００１２】
または、配電系統からの電力および分散型電源からの電力が供給され、負荷に電力を供給する電池を有する蓄電池システムに対して、
前記分散型電源からの電力を前記負荷に対して供給可能とし、
前記分散型電源からの電力を前記配電系統に供給する動作または前記分散型電源からの電力を前記電池に供給する動作を行うことが可能であり、
かつ前記分散型電源の電力を前記電池に蓄積された電力よりも優先して前記負荷に供給する動作をさせることが可能であり、前記分散型電源の電力を前記電池に蓄積された電力よりも優先して前記負荷に供給する動作において、
前記分散型電源の電力だけでは前記負荷に供給する電力が不足する場合に、前記電池に蓄積された電力を前記負荷に供給し、前記分散型電源の電力と前記電池に蓄積された電力だけでは前記負荷に供給する電力が不足する場合に、前記配電系統から前記負荷に電力を供給するよう制御する構成である。
【手続補正６】
【補正対象書類名】明細書
【補正対象項目名】００１３
【補正方法】変更
【補正の内容】
【００１３】
一方、本発明の蓄電池システムの制御方法は、配電系統から供給される電力および太陽光発電装置の発電電力を電池に充電し、前記電池から負荷に電力を供給し、
前記太陽光発電装置の発電電力を前記負荷に対して供給可能とし、
前記太陽光発電装置の発電電力のうち余剰電力を売電するモードまたは前記太陽光発電装置の発電電力のうち余剰電力を前記電池に充電するモードで動作させることを可能とし、
前記太陽光発電装置の発電電力を前記電池に蓄積された電力よりも優先して前記負荷に供給する動作をさせることを可能とし、
前記太陽光発電装置の発電電力を前記電池に蓄積された電力よりも優先して前記負荷に供給する動作において、前記太陽光発電装置の発電電力だけでは前記負荷に供給する電力が不足する場合に、前記電池に蓄積された電力を前記負荷に供給し、前記太陽光発電装置の発電電力と前記電池に蓄積された電力だけでは前記負荷に供給する電力が不足する場合に、前記配電系統から前記負荷に電力を供給するよう制御する方法である。
【手続補正７】
【補正対象書類名】明細書
【補正対象項目名】００１４
【補正方法】変更
【補正の内容】
【００１４】
または、配電系統からの電力および分散型電源からの電力が電池に供給され、前記電池から負荷に電力を供給される蓄電池システムの制御方法であって、
前記分散型電源からの電力を前記負荷に対して供給可能とし、
前記分散型電源からの電力を前記配電系統に供給する動作または前記分散型電源からの電力を前記電池に供給する動作を行うことが可能であり、
かつ前記分散型電源の電力を前記電池に蓄積された電力よりも優先して前記負荷に供給する動作をさせることが可能であり、前記分散型電源の電力を前記電池に蓄積された電力よりも優先して前記負荷に供給する動作において、
前記分散型電源の電力だけでは前記負荷に供給する電力が不足する場合に、前記電池に蓄積された電力を前記負荷に供給し、前記分散型電源の電力と前記電池に蓄積された電力だけでは前記負荷に供給する電力が不足する場合に、前記配電系統から前記負荷に電力を供給するよう制御する方法である。